(57)【特許請求の範囲】
【請求項１】
化粧品陳列台部端部に着脱自在に固定される表示具であって、化粧品陳列台部端部に着脱自在に固定される固定板部と、この固定板部から前方に延設され商品名等を表示する表示板部と、前面にバーコード等の化粧品情報が表示された化粧品情報表示板とを備え、上記固定板部の後面側に、上記化粧品情報表示板を支受しうる複数の支受部が、上下方向に段違い状に形成され、各支受部の後縁部に、上記化粧品情報表示板が後方に倒れるのを防止してこれを起立状態で保持する倒れ防止板が立設され、これら支受部が設けられた固定板部後面の左右両側上端には、化粧品情報表示板から左右に突出する第１凸部に係合する第２凸部が形成され、これらの係合により、上記支受部に配設された化粧品情報表示板の上方への抜け出しが阻止されているとともに、これら第１凸部と第２凸部との係合を解除することにより、上記化粧品情報表示板を上段の支受部で支持して化粧品情報表示板の化粧品情報を表示具前面に露呈する状態と、下段の支受部で支持して上記化粧品情報を表示板部で隠す状態とを、相互に切り換え可能になっていることを特徴とする表示具。
【発明の詳細な説明】
【技術分野】
【０００１】
本発明は、化粧料容器等の各種の化粧品を陳列する陳列トレイ，陳列棚等に取り付られる表示具に関するものである。
【背景技術】
【０００２】
従来から、化粧品販売店等では、店員に相談することなく、顧客自身が店頭等で化粧品を自由に選択することができるよう、化粧品を日用雑貨のように大量に陳列した化粧品陳列台を置くようにした店が増えてきている。このような、化粧品を大量に陳列しうる化粧品陳列台として、図３１に示すような化粧品陳列棚が提案されている。この化粧品陳列棚は、台部５１と、この台部５１に立設される陳列用パネル５２とからなっており、この陳列用パネル５２の前面に上下多段に並設された支受棚５３に、図３２に示すような化粧品陳列用トレイ５４等が支受されている。
【０００３】
上記化粧品陳列用トレイ５４は、本体トレイ５５と、この本体トレイ５５の前端部のガイドプレート５６に左右にスライド自在に支受されるテスターホルダー５７とからなっており、上記本体トレイ５５に、ネイル，ファンデーション，リップ等の各種の化粧品５８（図３１参照）が陳列されている。また、上記テスターホルダー５７は、上記化粧品５８のテスター用化粧品５９（図３１参照）を収容するテスター収容部６０と、このテスター収容部６０の前壁上端部から傾斜状に延びるバーコード表示プレート６１と、このバーコード表示プレート６１の上面６１ａを蓋する状態で上記バーコード表示プレート６１の上端部にヒンジ軸６１ｂを介して回動自在に連結されるプライス表示プレート６２と、上記ガイドプレート５６にスライド自在に係合するガイドレール６３とからなっている。
【０００４】
そして、通常は、プライス表示プレート６２でバーコード表示プレート６１の上面６１ａを蓋しておき、棚卸し等の際に商品の売り上げ情報を収集，登録，蓄積等するため、プライス表示プレート６２を上方に回動させ、バーコード表示プレート６１に表示されたバーコード（図示せず）を外部に露呈させ、この露呈させたバーコードをバーコードリーダー等（図示せず）で読み取り処理することを行う（例えば、特許文献１参照）。
【特許文献１】特開２００１−２９９５２３号公報
【発明の開示】
【発明が解決しようとする課題】
【０００５】
しかしながら、上記の化粧品陳列棚では、バーコード表示プレート６１の上端部にヒンジ軸６１ｂを形成し、このヒンジ軸６１ｂにプライス表示プレート６２を回動自在に連結しているため、バーコード表示プレート６１の構造が複雑化する。しかも、使用時には、プライス表示プレート６２を上方に回動させるため、バーコード表示プレート６１，プライス表示プレート６２の上方に広い空間が必要となるうえ、回動させたプライス表示プレート６２により、その後方に配設された化粧品５８やテスター用化粧品５９等が見えにくくなる。
【０００６】
本発明は、このような事情に鑑みなされたもので、構造が簡単で、しかも、上部に広い空間を必要とせず、後方の化粧品等が見やすい表示具の提供をその目的とする。
【課題を解決するための手段】
【０００７】
上記の目的を達成するため、本発明の表示具は、化粧品陳列台部端部に着脱自在に固定される表示具であって、化粧品陳列台部端部に着脱自在に固定される固定板部と、この固定板部から前方に延設され商品名等を表示する表示板部と、前面にバーコード等の化粧品情報が表示された化粧品情報表示板とを備え、上記固定板部の後面側に、上記化粧品情報表示板を支受しうる複数の支受部が、上下方向に段違い状に形成され、各支受部の後縁部に、上記化粧品情報表示板が後方に倒れるのを防止してこれを起立状態で保持する倒れ防止板が立設され、これら支受部が設けられた固定板部後面の左右両側上端には、化粧品情報表示板から左右に突出する第１凸部に係合する第２凸部が形成され、これらの係合により、上記支受部に配設された化粧品情報表示板の上方への抜け出しが阻止されているとともに、これら第１凸部と第２凸部との係合を解除することにより、上記化粧品情報表示板を上段の支受部で支持して化粧品情報表示板の化粧品情報を表示具前面に露呈する状態と、下段の支受部で支持して上記化粧品情報を表示板部で隠す状態とを、相互に切り換え可能になっているという構成をとる。
【０００８】
すなわち、本発明の表示具は、これを構成する固定板部に複数の支受部が上下方向に段違い状に形成され、任意の支受部で、前面にバーコード等の化粧品情報が表示された化粧品情報表示板を支持可能にしている。そして、上記化粧品情報表示板が複数の上下の支受部のうち上段の支受部で支持された状態では、上記化粧品情報表示板の化粧品情報が露呈し、下段の支受部で支持された状態では、上記化粧品情報が表示板部で隠されるようにしている。したがって、本発明の表示具では、通常、商品管理等のためにバーコード等で表示された化粧品情報（すなわち、顧客等に見せる必要がなく、また、顧客等が見ても役に立たない情報）は表示板部で隠すことで顧客等の目に触れないようにし、棚卸し等の際に商品の売り上げ情報を収集，登録，蓄積等する場合等、必要な場合にだけ、店員等が化粧品情報表示板を下段の支受部から上段の支受部に移動させて上記化粧品情報を露呈させ、店員等が化粧品情報をバーコードリーダー等で読み取り処理することができるようにしている。しかも、本発明の表示具では、これを構成する固定板部に複数の支受部を上下方向に段違い状に形成し、任意の支受部で化粧品情報表示板を支持可能にしただけであり、構造が簡単になる。しかも、棚卸し等の際に商品の売り上げ情報を収集，登録，蓄積等する場合には、化粧品情報表示板を下段の支受部から上段の支受部に移動させるだけでよく、表示板部の上方に広い空間を必要としないうえ、固定板部や表示板部から化粧品情報表示板が露呈せず、化粧品情報表示板の後方に配設される化粧品等がよく見える。なお、本発明において、「化粧品陳列台部」とは、化粧品を載置，陳列するための陳列トレイの載置台部分だけでなく、この陳列トレイや化粧品を陳列するための陳列棚の棚台部分をも含む意味である。また、「バーコード等の化粧品情報」とは、化粧品情報がバーコードで表示されたものである場合だけでなく、バーコード以外の表示形態で表示されたものである場合をも含む意味であり、また、バーコードとしては、例えばＪＡＮバーコード（標準商品用バーコード）等があげられるが、これだけでなく、二次元コード等をも含む意味である。
【０００９】
また、本発明の表示具は、上記固定板部に複数の支受部が上下方向に段違い状に形成され、上記化粧品情報表示板の左右両側から第１凸部が突設され、上記固定板部の上部の左右両側にそれぞれ、上記化粧品情報表示板の第１凸部が上方に抜け出すのを阻止する第２凸部が突設されているため、化粧品情報表示板を上方に引き上げる際は、上記両凸部同士の当接（係合）により、上記化粧品情報表示板の上方への抜け出しが阻止される。
【００１０】
さらに、本発明の表示具は、上記複数の支受部の後縁部に、化粧品情報表示板を起立状態で保持しうる倒れ防止板が立設されているため、上記各支受部に、化粧品情報表示板を起立状態で保持することができる。
【発明を実施するための最良の形態】
【００１１】
つぎに、本発明を実施するための最良の形態について説明する。ただし、本発明は、この実施の形態に限られるものではない。
【００１２】
図１〜図４は本発明の表示具を用いた陳列トレイの一実施の形態を示している。この実施の形態では、上記陳列トレイは、本発明の表示具と、後述するトレイ（化粧品陳列台部）７とで構成されており、本発明の表示具が、上記トレイ７の前端部から立設された板状支受部７ａに着脱自在に固定，支受されている（図１３参照）。
【００１３】
１は本発明の表示具を構成する透明な合成樹脂製の本体部であり、図５〜図８に示すように、上記トレイ７の板状支受部７ａに着脱自在に固定，支受される固定板部２（図１３参照）と、この固定板部２の前面上端部から前・下側に向かって湾曲状に延びる表示板部３とからなっている。上記固定板部２は、図９に示すように、上側縦板部１１と、この上側縦板部１１の下端部から後方に向かって延びる上側横板部１２と、この上側横板部１２の後端部から下方に向かって延びる下側縦板部１３と、この下側縦板部１３の下端部から後方に向かって延びる下側横板部１４と、この下側横板部１４の後端部から下方に向かって延びる奥側縦板部１５とからなっている。そして、上側縦板部１１と上側横板部１２とで上段支受部１６が形成され、下側縦板部１３と下側横板部１４とで下段支受部１７が形成されており、これら両支受部１６，１７には、そのいずれか一方に、後述するバーコード表示板（化粧品情報表示板）４が載置されている。
【００１４】
また、上記固定板部２には、図１０に示すように、上記両横板部１２，１４の後端部にそれぞれ、上記両支受部１６，１７に載置されるバーコード表示板４が後方に倒れるのを防止する倒れ防止板１８，１９が左右に立設されており、これら各倒れ防止板１８，１９に対応する上記両縦板部１１，１３および両横板部１２，１４の部分が切欠き形成されて切欠き部１１ａ，１２ａ，１３ａ，１４ａが形成されている。
【００１５】
また、上記固定板部２は、図１１に示すように、その上側縦板部１１の上端部の左右両側から後方に向かって延びる抜け止め用板部（第２凸部）２０（図５も参照）と、この抜け止め用板部２０の後端部から下方に向かって延びる支受板部２１とを備えており、上段支受部１６に載置したバーコード表示板４を単に上方に持ち上げようとしても、バーコード表示板４の両当接用凸部（第１凸部）２５ｂ（図１４参照）が、上記両抜け止め用板部２０（図５，図１１）に当接して上方に取り出すことができないようにしている。このため、バーコード表示板４を上段支受部１６から取り出す場合には、バーコード表示板４を斜めにしたり、少し撓ませたりする必要がある。
【００１６】
また、上記上側横板部１２および下側縦板部１３の左右両側には切欠き部２２が形成されているとともに、これら両切欠き部２２に対応する上記上側縦板部１１の部分の下端面から（この部分の下端面よりやや幅狭の）弾性板２３が垂下しており、これら両弾性板２３の後面に、上記トレイ７の板状支受部７ａの両係合穴７ｂに着脱自在に係合する係合突条２３ａが突設されている（図１２参照）。したがって、上記固定板部２をトレイ７の板状支受部７ａに固定する場合には、上記固定板部２をトレイ７の板状支受部７ａの上方に配設して両弾性板２３の係合突条２３ａの下方に板状支受部７ａを位置決めし、その状態で固定板部２を押し下げることを行う。これにより、両弾性板２３の係合突条２３ａが板状支受部７ａの上面に当接して両弾性板２３が撓みなから下降し、両弾性板２３の係合突条２３ａが板状支受部７ａの両係合穴７ｂに到達すると両者が係合し、固定板部２が板状支受部７ａに固定される。また、上記奥側縦板部１５および両支受板部２１の下端部に、上記トレイ７を挿入するための切欠き部１５ａ，２１ａが形成されている。
【００１７】
上記バーコード表示板４は、図１４〜図１６に示すように、上部を２つ折り状に折り曲げてなる透明な合成樹脂製の板状体２５と、この板状体２５の折り曲げ部分２５ａに挿入されるバーコード表示シート（図示せず）とからなり、このバーコード表示シートの前面に、化粧品に関する情報がバーコードで表示されている。そして、通常は、図１７に示すように、バーコード表示板４を下段支受部１７に載置しておき、顧客等が上記陳列トレイを前側から見ても、バーコード表示板４の全体が固定板部２および表示板部３に隠れて見えないようにしている。また、棚卸し等の際に商品の売り上げ情報を収集，登録，蓄積等する場合には、店員等がバーコード表示板４を下段支受部１７から移動させて上段支受部１６に載置することを行う（図１８参照）。これにより、バーコード表示板４の折り曲げ部分２５ａが固定板部２の上方に突出してバーコード表示シートの前面のバーコードが露呈し、店員等がバーコードリーダー等で読み取り処理することができる。
【００１８】
また、上記バーコード表示板４には、図１４のように、その下部の左右両側から、バーコード表示板４を上方に持ち上げたときに、上記抜け止め用板部２０（図５参照）に引っ掛かって抜け止めとなる当接用凸部（第１凸部）２５ｂが突設されている。
【００１９】
一方、上記本体部１の表示板部３には、その上面（すなわち、表面）に、平面視略四角形状の凹部２６が形成されており、この凹部２６の上下両端部の左右両側部分および中央部分に、後述するプレートカバー５の係合用突条３１，３２に着脱自在に係合する係合用穴部２７，２８が穿設されている。また、上記表示板部３の下端部の左右両側縁には、上下に係合用凹部２９ａ，２９ｂが形成された略半円形状の板状凸片２９が突設されている。
【００２０】
５は本発明の表示具を構成する透明な合成樹脂製のカバープレートで、図１９〜図２１に示すように、上記表示板部３の凹部２６の上面に沿う湾曲状体に形成されており、その上端部の左右両側部分および中央部分から、上記係合用穴部２７に着脱自在に係合する係合用突条３１が突設されているとともに、下端部の左右両側部分および中央部分から、上記係合用穴部２８に着脱自在に係合する係合用突条３２が突設されている。そして、上記表示板部３の凹部２６の上面もしくはカバープレート５の下面に、商品名，その価格等の各種情報やＰＯＰ広告等が表示された広告シート（図示せず）が貼着され、もしくは上記表示板部３の凹部２６とカバープレート５との間に広告シートが挿入されている。
【００２１】
６は本発明の表示具を構成する透明な合成樹脂製のブランドプレートで、図２２〜図２４に示すように、略半球状に形成されており、その左右両側面から、上記両板状凸片２９の係合用凹部２９ａ，２９ｂに着脱自在に係合する上下一対の凸部３４，３５が突設されている。そして、上記ブランドプレート６に対応する上記表示板部３の上面の部分もしくはブランドプレート６の裏面に、ブランド名が記載されたブランドシート（図示せず）が貼着され、もしくは上記表示板部３とブランドプレート６との間にブランドシートが挿入されている。
【００２２】
７は透明な合成樹脂製のトレイであり、図２５〜図２７に示すように、平面視略四角形平板状の載置台部３６と、この載置台部３６の前端部から立設される板状支受部７ａとからなり、上記両弾性板２３の係合突条２３ａに対応する上記板状支受部７ａの部分およびこれに続く載置台部３６の部分に、上記係合突条２３ａに着脱自在に係合する係合穴７ｂが穿設されている。
【００２３】
上記のように、この実施の形態では、通常、商品管理等のためにバーコードで表示された化粧品情報は固定板部２，表示板部３で隠すことで顧客等の目に触れないようにし、棚卸し等の際に化粧品の売り上げ情報を収集，登録，蓄積等する場合等に、店員等がバーコード表示板４を上段支受部１６に載置してバーコードを外部に露呈させることで、バーコードリーダー等で読み取り処理することができるようにしている。しかも、固定板部２に上下２段の支受部１６，１７を形成し、これら両支受部１６，１７にバーコード表示板４を載置可能にしただけの簡単な構造である。しかも、バーコード表示板４の使用時には、これを固定板部２の下段支受部１７から持ち上げて上段支受部１６に移動させるだけでよく、表示板部３の上方に広い空間を必要としないうえ、バーコード表示板４が固定板部２から上方にあまり突出せず、バーコード表示板４の後方に配設される化粧品等がよく見える。
【００２４】
図２８〜図３０は、参考の形態を示している。この参考の形態では、上記本体部１の表示板部３に、バーコード表示板４を支受するための上段支受部１６および下段支受部１７が形成されている。したがって、上記本体部１の固定板部２に上記両支受部１６，１７が形成されていない。
【００２５】
より詳しく説明すると、上記表示板部３の下面（すなわち、裏面）から上記両支受部１６，１７が下方に向かって突設されている。これら両支受部１６，１７は、上側縦板部１１と上側横板部１２と下側縦板部１３と下側横板部１４と奥側縦板部１５とからなっており、上記下側横板部１４には、その後端部に倒れ防止板１９が立設されているとともに、この倒れ防止板１９に対応する上記下側縦板部１３および下側横板部１４の部分が切欠き形成されている。
【００２６】
ただし、上記上側横板部１２には、バーコード表示板４の折り曲げ部分２５ａを挿入しうる一本の長穴１２ａが穿設されているが、倒れ防止板１８は立設されていない。図において、４１は下段支受部１７に載置したバーコード表示板４（図２９参照）が左右に移動して抜け落ちるのを防止する脱落防止板である。
【００２７】
一方、バーコード表示板４には、その下部の左右両側から当接用凸部２５ｂが突設されているが、これら両当接用凸部２５ｂが突設された部分では、その横幅は、上記上側横板部１２の長穴１２ａの横幅より長くなっている。これにより、上下逆さにした状態でバーコード表示板４を上側横板部１２の長穴１２ａに挿入すると、バーコード表示板４の折り曲げ部分２５ａは上記長穴１２ａに挿入されるものの、上記両当接用凸部２５ｂは上側横板部１２の上面に当接して長穴１２ａに挿入されないため、上下逆さ状態のバーコード表示板４を上側横板部１２に保持することができる。
【００２８】
そして、通常は、図２９に示すように、バーコード表示板４を下段支受部１７に載置しておき、顧客等が上記陳列トレイを前側から見ても、バーコード表示板４が表示板部３および両支受部１６，１７に隠れて見えないようにしている。また、棚卸し等の際に商品の売り上げ情報を収集，登録，蓄積等する場合には、店員等がバーコード表示板４を下段支受部１７から取り外し、上下逆さにした状態で上段支受部１６の上側横板部１２の長穴１２ａに挿入し、この上側横板部１２に保持することを行う（図３０参照）。これにより、バーコード表示板４の折り曲げ部分２５ａが表示板部３および両支受部１６，１７の下方に突出し、バーコード表示シートの前面のバーコードが露呈して店員等がバーコードリーダー等で読み取り処理することができる。
【００２９】
一方、上記本体部１の固定板部２には、上記固定板部２をトレイ７の板状支受部７ａに固定，支受するために、上側縦板部４２，上側横板部４３，下側縦板部４４および係合突条４５ａ付き弾性板４５（上記実施の形態における、上側縦板部１１，上側横板部１２，下側縦板部１３および係合突条２３ａ付き弾性板２３に相当する）が形成されているが、下側横板部１４，奥側縦板部１５は形成されていない。また、上記上側横板部４２の後端部に、上記実施の形態における倒れ防止板１８が立設されていない。図において、４６は固定板部２が左右に移動するのを防止する移動防止板である。それ以外の部分は上記実施の形態と同様であり、同様の部分には同じ符号を付している。
【００３０】
なお、前記実施の形態では、バーコード表示板４を支持するため、上下２段の支受部１６，１７が形成されているが、これに限定するものではなく、３段以上形成されていてもよい。また、前記実施の形態においては、バーコード表示板４や宣伝表示板に、直接バーコードやＰＯＰ広告等が表示されていてもよい。
【００３１】
また、本発明の表示具が、化粧品や（化粧品を載置する）陳列トレイ等を載置する陳列棚の棚台部分（化粧品陳列台部）に取付られていてもよく、例えば、陳列棚の棚台部分の前端部から立設される（化粧品，陳列トレイ等の落下防止用の）立板に直接固定，支受されていてもよい。
【図面の簡単な説明】
【００３２】
【図１】本発明の表示具を用いた陳列トレイの一実施の形態を示す斜視図である。
【図２】上記陳列トレイの平面図である。
【図３】上記陳列トレイの正面図である。
【図４】上記陳列トレイの側面図である。
【図５】固定板部の平面図である。
【図６】上記固定板部の背面図である。
【図７】上記固定板部の正面図である。
【図８】上記固定板部の側面図である。
【図９】図５のＡ−Ａ断面図である。
【図１０】図５のＢ−Ｂ断面図である。
【図１１】図５のＣ−Ｃ断面図である。
【図１２】図５のＤ−Ｄ断面図である。
【図１３】上記固定板部の作用を示す断面図である。
【図１４】バーコード表示板の背面図である。
【図１５】上記バーコード表示板の平面図である。
【図１６】上記バーコード表示板の断面図である。
【図１７】上記バーコード表示板の載置状態を示す断面図である。
【図１８】上記バーコード表示板の載置状態を示す断面図である。
【図１９】カバープレートの正面図である。
【図２０】上記カバープレートの平面図である。
【図２１】上記カバープレートの断面図である。
【図２２】ブランドプレートの正面図である。
【図２３】上記ブランドプレートの平面図である。
【図２４】上記ブランドプレートの側面図である。
【図２５】トレイの平面図である。
【図２６】上記トレイの正面図である。
【図２７】上記トレイの断面図である。
【図２８】参考の形態を示す断面図である。
【図２９】参考の形態のバーコード表示板の載置状態を示す断面図である。
【図３０】参考の形態の上記バーコード表示板の載置状態を示す断面図である。
【図３１】従来例の化粧品陳列台を示す斜視図である。
【図３２】従来例の化粧品陳列用トレイの説明図である。
【符号の説明】
【００３３】
２  固定板部
３  表示板部
４  バーコード表示板
１６，１７  支受部
【図１】
0005179819.tif 000002
【図２】
0005179819.tif 000003
【図３】
0005179819.tif 000004
【図４】
0005179819.tif 000005
【図５】
0005179819.tif 000006
【図６】
0005179819.tif 000007
【図７】
0005179819.tif 000008
【図８】
0005179819.tif 000009
【図９】
0005179819.tif 000010
【図１０】
0005179819.tif 000011
【図１１】
0005179819.tif 000012
【図１２】
0005179819.tif 000013
【図１３】
0005179819.tif 000014
【図１４】
0005179819.tif 000015
【図１５】
0005179819.tif 000016
【図１６】
0005179819.tif 000017
【図１７】
0005179819.tif 000018
【図１８】
0005179819.tif 000019
【図１９】
0005179819.tif 000020
【図２０】
0005179819.tif 000021
【図２１】
0005179819.tif 000022
【図２２】
0005179819.tif 000023
【図２３】
0005179819.tif 000024
【図２４】
0005179819.tif 000025
【図２５】
0005179819.tif 000026
【図２６】
0005179819.tif 000027
【図２７】
0005179819.tif 000028
【図２８】
0005179819.tif 000029
【図２９】
0005179819.tif 000030
【図３０】
0005179819.tif 000031
【図３１】
0005179819.tif 000032
【図３２】
0005179819.tif 000033